(57)【特許請求の範囲】
【請求項１】
聴診トレーニングシステムであって、
新生児の人体を模して形成された人体モデルと、
トレーニーの耳孔部に挿着可能な耳管部と、前記人体モデルに対して聴診動作を行うための模擬採音部と、前記耳管部と前記模擬採音部とをつなぐための管部とを有する聴診器とを備え、
前記模擬採音部は、前記管部に着脱可能であって、
前記模擬採音部の前記人体モデルの表皮への密着の程度を検知するためのセンサと、
受信した生体音データに対応する音を再生するための再生部と、
前記センサの検知結果を送信し、前記生体音データを受信するための第１の送受信部とを含み、
聴診トレーニングシステムの動作を制御するための制御装置をさらに備え、
前記制御装置は、
前記第１の送受信部との間でデータの送受を行うための第２の送受信部と、
前記人体から発せられる心音を含む生体音に対応する前記生体音データを記憶する記憶手段と、
前記センサの検知結果に基づき、前記模擬採音部が前記人体モデルの表皮に密着しているか否かを判断する密着性判断手段と、
前記密着性判断手段により密着していると判断した場合に、前記生体音データを前記第２の送受信部を介して、前記再生部に対して送出する生体音送出部とを含む、聴診トレーニングシステム。
【請求項２】
前記制御装置は、前記心音の心拍数の変更を入力する入力手段をさらに含み、
前記生体音送出部は、変更された前記心拍数に対応する前記生体音データを前記第２の送受信部を介して、前記再生部に対して送出する、請求項１記載の聴診トレーニングシステム。
【請求項３】
第１の表示装置をさらに備え、
前記制御装置は、
前記第１の表示装置に対して、動脈血酸素飽和度の値と脈拍数の値とを表示させるためのデータを前記第２の送受信部を介して送信するテスト情報管理手段をさらに含み、
前記テスト情報管理手段は、前記入力手段からの入力に応じて、前記動脈血酸素飽和度の値および前記脈拍数の値を更新する、請求項２記載の聴診トレーニングシステム。
【請求項４】
前記制御装置は、第２の表示装置をさらに含み、
前記テスト情報管理手段は、
予め定められた新生児蘇生法の手続きの各ステップを示す図と、現在のステップの位置を示す情報を前記第２の表示装置に表示させ、
前記入力手段からの入力に応じて、前記現在のステップの位置を更新する、請求項３記載の聴診トレーニングシステム。
【請求項５】
前記テスト情報管理手段は、
予め定められた新生児蘇生法の手続きの各前記ステップにおけるチェック項目を前記第２の表示装置に表示させ、
前記制御装置は、
前記入力手段からの入力に応じて、前記チェック項目に対応するチェック結果を前記記憶手段に履歴情報として格納するテスト履歴記録手段をさらに含む、請求項４記載の聴診トレーニングシステム。
【請求項６】
前記テスト履歴記録手段は、前記心拍数および前記動脈血酸素飽和度の値の変更履歴をさらに前記記憶手段に前記履歴情報として格納し、
前記制御装置は、前記入力手段からの入力に応じて、前記履歴情報を再現するテスト履歴再現手段をさらに含む、請求項５記載の聴診トレーニングシステム。
【請求項７】
前記人体モデルの体表には、所定位置にマーカが付されており、
前記模擬採音部は、前記マーカを読み取るための読取センサをさらに含み、
前記生体音送出部は、前記マーカにより示される体表位置に応じて、前記第２の送受信部を介して、前記再生部に対して送出する前記生体音データを変更する、請求項１記載の聴診トレーニングシステム。
【請求項８】
新生児の人体モデルを使用して新生児の蘇生手順を訓練するための聴診トレーニングシステムにおいて使用される模擬採音部であって、
使用者の耳孔部に挿着可能な耳管部と採音部と前記耳管部と前記採音部とをつなぐための管部とを有する聴診器に対して、前記採音部と交換可能であって前記管部と着脱可能に接続するための接続部と、
前記模擬採音部が前記人体モデルの表皮に密着の程度を検知するためのセンサと、
前記聴診トレーニングシステムの制御装置から受信した生体音データに対応する音を再生するための再生部と、
前記センサの検知結果を送信し、前記生体音データを受信するための送受信部とを備える、模擬採音部。
【発明の詳細な説明】
【技術分野】
【０００１】
この発明は、新生児蘇生法の訓練するためのシミュレーション装置の技術に関する。
【背景技術】
【０００２】
医師が、病状、病名を診断するに際して、診察の一環として聴診器（正確には採音部）を患者の患部に当てて生体音（呼吸音、心音、腸雑音等）を聴き、その異常性を判断することが行われる。
【０００３】
ここで、聴診器は大きく分けて採音部、チューブ（ゴム管とも呼ばれる）及び耳管からなる。
【０００４】
従来から、医師を目指す医学生や看護師を目指す看護学生などの実習生に対して、聴診の技術を修得させるための聴診トレーニングシステムが報告されている。
【０００５】
たとえば、特許文献１に開示の聴診教育用装置は、人体の上半身を模して形成された人体モデルと、人体モデルに対して模擬的に聴診動作を行うための模擬聴診器と、模擬聴診器による聴診動作を検知する聴診検知センサと、模擬聴診器及び聴診検知センサとそれぞれ接続され、聴診動作を検知した聴診検知センサから送出される検知シグナルを受付け、模擬聴診器の耳管部に設けられた生体音再生部から、検知シグナルに対応する聴診位置の心音及び呼吸音等の生体音を再生させるための処理を行う制御部とを主に具備している。
【０００６】
また、たとえば、特許文献２に開示の聴診トレーニングシステムは、位置表示手段を備えた採音部、チューブ及び耳管からなる模擬聴診器、採音部位置を検知する位置検知手段、生体音データベース、生体音再生手段及び再生呼吸音の繰り返しタイミングを表示するタイミング表示手段からなる。ここで、データベースは、予め真の患者から胸の位置に対応付けて録音された生体音を情報として保有している。また、生体音再生手段は音声再生器を備えており、位置検知手段が検知した採音部位置に応じてデータベースから所定の生体音情報を取り出し音声再生器から再生生体音を発し、それを実習生は耳管を通して聞く。そして、タイミング表示手段は模擬患者がそれを見て自分の呼吸動作を再生呼吸音に合わせる、という構成である。
【０００７】
ただし、これらの聴診トレーニングシステムは、基本的には、成人の患者に対する聴診をトレーニングすることを目的としている。
【０００８】
一方で、厚生労働省の調査によると日本の２０１４年間出生数は約１０３万人である。そして、非特許文献１によると、その１５％にあたる約１８万人の新生児には出生直後に呼吸循環機能の安定のために新生児蘇生法を正しく施術する必要がある。そのため、日本周産期・新生児医学会が運営する新生児蘇生法普及事業では「すべての周産期医療関係者が標準的な新生児救急蘇生法を体得して、すべての分娩に新生児の蘇生を開始することができる要員が専任で立ち会うことのできる体制を実現する」ということを目標に掲げている。
【０００９】
このような目標の達成のために開催される、従来の新生児蘇生法普及事業による新生児蘇生法を習得するための講習会では、座学と実習が行われている。
【００１０】
実習では、新生児を模擬したシミュレータを使用し処置を学ぶ。シミュレータには、新生児の身体の構造やバイタルを高度に模擬した高性能シミュレータから、身体の形だけ模擬した新生児蘇生モデルなど様々なものがある。高性能シミュレータでは訓練生の処置に対してシミュレータの心拍数や呼吸数等の状態を操作でき、シミュレータで生成される心音を訓練生は聞くことができる。そのため、現実の新生児に処置を行っているような訓練効果が高い臨場感のある訓練ができる。
【００１１】
一方、人体の形を模擬した人形である新生児蘇生モデルでは、訓練生の処置に対してモデルの状態を変更できず、訓練生は、聴診を模擬的に行うことができない。そのため、現実の新生児に処置を行っているような効果が高い訓練ができない。
【先行技術文献】
【特許文献】
【００１２】
【特許文献１】特開２００５−７７５２１号公報
【特許文献２】特開２０１２−２４７５１３号公報
【非特許文献】
【００１３】
【非特許文献１】ＪＲＣ蘇生ガイドライン2015  オンライン版：http://www.ncpr.jp/guideline_update/pdf/jrc_guideline_2015.pdf
【発明の概要】
【発明が解決しようとする課題】
【００１４】
上述した講習会は、たとえば、座学と実習から構成されている。座学では新生児蘇生法のアルゴリズムの流れに沿いながら処置の仕方などの説明が行われる。
【００１５】
実習では、使用する器具の説明、人工呼吸や胸骨圧迫等の基本的な手技の訓練、シミュレータを使用したシナリオベースの訓練が行われる。
【００１６】
シナリオベースの訓練の前半のシミュレーションではトレーナが訓練生に質問し、一つ一つ確認しながら進めている。後半では実際の臨床現場と同じような緊張感のある状況を作るために、トレーナはシナリオの流れが途切れないようシミュレーションの流れをコントロールする。
【００１７】
講習会に使用されているシミュレータは、訓練効果が高い高性能シミュレータと、訓練効果が低い新生児蘇生モデルに分類できる。
【００１８】
（高性能シミュレータ）
高性能シミュレータの一例であるのLeardl社のSimBaby（登録商標）では、心拍音、呼吸音、皮膚の色など新生児の状態をシミュレータが再現し、コントローラによってトレーナが状態を操作することができる。また、このシステムには様々な訓練シナリオが用意されており、訓練生はそのシナリオをシミュレートすることができる。これらの機能はコンピュータで制御している。しかし多機能である反面、トレーナはシミュレータを操作するために習熟を要する。また、高額かつメンテナンスが必要であるため一般の病院では導入することが困難である。
【００１９】
（新生児蘇生モデル）
一方で、たとえば、高研社などからは、「新生児蘇生モデル」という名称で、新生児の重さや形、気道・気管の形状が解剖学的に模擬された人形が発売されている。
【００２０】
人形であるため、訓練生が行った処置によって新生児蘇生モデルの状態に変化はない。つまり、訓練生は新生児蘇生モデルからは心拍数等の処置に必要な情報を臨床現場と同じ方法で得ることができない。
【００２１】
例えば心拍数を知るために、訓練生は聴診器を新生児蘇生モデルにあてても、聴診器から心拍を聞くことはできない。そのためトレーナが口頭や、手で机を叩いて心拍数を提示しているというような現状である。
【００２２】
そこで、この発明の目的は、新生児蘇生法を習得するスタッフを増やすために、導入コストが低く、訓練効果が高い新生児蘇生法の訓練用の聴診トレーニングシステムおよびそのシステムに使用される模擬採音部を提供することを目的とする。
【課題を解決するための手段】
【００２３】
この発明の１つの局面に従うと、聴診トレーニングシステムであって、新生児の人体を模して形成された人体モデルと、トレーニーの耳孔部に挿着可能な耳管部と、人体モデルに対して聴診動作を行うための模擬採音部と、耳管部と模擬採音部とをつなぐための管部とを有する聴診器とを備え、模擬採音部は、管部に着脱可能であって、模擬採音部の人体モデルの表皮への密着の程度を検知するためのセンサと、受信した生体音データに対応する音を再生するための再生部と、センサの検知結果を送信し、生体音データを受信するための第１の送受信部とを含み、聴診トレーニングシステムの動作を制御するための制御装置をさらに備え、制御装置は、第１の送受信部との間でデータの送受を行うための第２の送受信部と、人体から発せられる心音を含む生体音に対応する生体音データを記憶する記憶手段と、センサの検知結果に基づき、模擬採音部が人体モデルの表皮に密着しているか否かを判断する密着性判断手段と、密着性判断手段により密着していると判断した場合に、生体音データを第２の送受信部を介して、再生部に対して送出する生体音送出部とを含む。
【００２４】
好ましくは、制御装置は、心音の心拍数の変更を入力する入力手段をさらに含み、生体音送出部は、変更された心拍数に対応する生体音データを第２の送受信部を介して、再生部に対して送出する。
【００２５】
好ましくは、第１の表示装置をさらに備え、制御装置は、第１の表示装置に対して、動脈血酸素飽和度の値と脈拍数の値とを表示させるためのデータを第２の送受信部を介して送信するテスト情報管理手段をさらに含み、テスト情報管理手段は、入力手段からの入力に応じて、動脈血酸素飽和度の値および脈拍数の値を更新する。
【００２６】
好ましくは、制御装置は、第２の表示装置をさらに含み、テスト情報管理手段は、予め定められた新生児蘇生法の手続きの各ステップを示す図と、現在のステップの位置を示す情報を第２の表示装置に表示させ、入力手段からの入力に応じて、現在のステップの位置を更新する。
【００２７】
好ましくは、テスト情報管理手段は、予め定められた新生児蘇生法の手続きの各ステップにおけるチェック項目を第２の表示装置に表示させ、制御装置は、入力手段からの入力に応じて、チェック項目に対応するチェック結果を記憶手段に履歴情報として格納するテスト履歴記録手段をさらに含む。
【００２８】
好ましくは、テスト履歴記録手段は、心拍数および動脈血酸素飽和度の値の変更履歴をさらに記憶手段に履歴情報として格納し、制御装置は、入力手段からの入力に応じて、履歴情報を再現するテスト履歴再現手段をさらに含む。
【００２９】
好ましくは、人体モデルの体表には、所定位置にマーカが付されており、模擬採音部は、マーカを読み取るための読取センサをさらに含み、生体音送出部は、マーカにより示される体表位置に応じて、第２の送受信部を介して、再生部に対して送出する生体音データを変更する。
【００３０】
この発明の他の局面に従うと、新生児の人体モデルを使用して新生児の蘇生手順を訓練するための聴診トレーニングシステムにおいて使用される模擬採音部であって、使用者の耳孔部に挿着可能な耳管部と採音部と耳管部と採音部とをつなぐための管部とを有する聴診器に対して、採音部と交換可能であって管部と着脱可能に接続するための接続部と、模擬採音部が人体モデルの表皮に密着の程度を検知するためのセンサと、聴診トレーニングシステムの制御装置から受信した生体音データに対応する音を再生するための再生部と、センサの検知結果を送信し、生体音データを受信するための送受信部とを備える。
【発明の効果】
【００３１】
本発明では、新生児蘇生法の訓練用の聴診トレーニングシステムにおいて、導入コストが低減し、同時に、訓練効果を高めることが可能である。
【図面の簡単な説明】
【００３２】
【図１】実施の形態１の聴診トレーニングシステムの一例を説明するための概念図である。
【図２】模擬聴診器１００の構成を説明するための外観図である。
【図３】制御コンピュータ２０００の構成を説明するための機能ブロック図である。
【図４】模擬採音部１０の構成を説明するための機能ブロック図である。
【図５】制御コンピュータ２０００のハードウェア構成を示すブロック図である。
【図６】模擬採音部１０に搭載される照度センサの外観を示す図である。
【図７】模擬採音部１０のモデル人形２の体表への接触状態を説明するための図である。
【図８】「新生児蘇生法アルゴリズム」を説明するためのフローチャートである。
【図９】トレーニング中の制御コンピュータ２０００の動作を説明するためのフローチャートである。
【図１０】表示装置２１２０における表示画面例を示す図である。
【図１１】従来使用されているシミュレータと実施の形態１の聴診トレーニンングシステムとの比較を示す概念図である。
【図１２】実施の形態１の聴診トレーニンングシステムの主要な構成および機能を説明するための概念図である。
【図１３】実施の形態２の聴診トレーニングシステムの一例を説明するための概念図である。
【発明を実施するための形態】
【００３３】
以下、本発明の実施形態に係る聴診トレーニングシステムについて、図に従って説明する。
[実施の形態１]
図１は、実施の形態１の聴診トレーニングシステムの一例を説明するための概念図である。
【００３４】
本実施形態の聴診トレーニングシステム１０００は、図１に示すように、新生児の人体を模したモデル人形２に対し、訓練生（トレーニー）が模擬的に聴診動作を行うために使用する模擬聴診器１００と、後述するように生体音データベースを内蔵し、模擬聴診器１００に対して適切な生体音を生成して送信するための制御コンピュータ２０００と、制御コンピュータ２０００から送信される信号に応じて、模擬的にパルスオキシメータを模して脈拍数および酸素飽和度の値を表示するための表示装置３０００とを含む。
【００３５】
なお、表示装置３０００は、例えば、いわゆるタブレット型端末を使用することが可能であるが、そのような構成に限定されるものではない。
【００３６】
ここで、「パルスオキシメーター(pulse oximeter)」とは、プローブを指先や耳などに付けて、侵襲せずに脈拍数と経皮的動脈血酸素飽和度（ＳｐＯ2）をモニターする医療機器である。「経皮的動脈血酸素飽和度」とは、ヘモグロビンに何％の酸素が結合しているのかを表す指標である。それにより、動脈血酸素分圧が推測できる。経皮的動脈血酸素飽和度が９０％以下となると、一般に、臨床症状としては、呼吸困難や血圧上昇または低下、脈拍上昇、意識混濁などの症状が出現する。
【００３７】
図２は、模擬聴診器１００の構成を説明するための外観図である。
【００３８】
一般的な聴診器は大きく分けて採音部、チューブ（たとえば、ゴムを素材とした場合は、ゴム管とも呼ばれる。以下、「管部」と呼ぶ）および耳管からなる。なお、採音部は、チェストピースとも呼ばれる。
【００３９】
模擬聴診器１００は、図２に示すように、実際の医療現場において医師や看護師が聴診の際に利用する聴診器の構成において、採音部を、以下に説明するような模擬採音部に交換したものである。
【００４０】
より詳しくは、図２に示すように、模擬聴診器１００は、モデル人形２の体表に対して当接される聴診面を有する模擬採音部１０と、模擬採音部１０に着脱可能に接続され二つに分岐した軟素材製のＹ字管部２０と、Ｙ字管部２０の分岐したＹ字部のそれぞれの端部に取着され、訓練生の耳孔部に挿着可能な耳管部３０ａおよび３０ｂを備える。
【００４１】
模擬採音部１０は、後述するように、制御コンピュータ２０００から送信される生体音（たとえば、心音）を再生し、また、模擬採音部１０が、モデル人形２の体表に密着されているか否かを示すセンサの検知結果を制御コンピュータ２０００に送信する構成を有する。
【００４２】
図３は、制御コンピュータ２０００の構成を説明するための機能ブロック図である。
【００４３】
図３において、制御コンピュータ２０００の実行する機能は、後述するように、制御コンピュータ２０００内の中央演算装置（ＣＰＵ：Central Processing Unit）により、プログラムに基づいて、実行される。
【００４４】
図３を参照して、無線インタフェース２０９０は、模擬採音部１０および表示装置３０００との間で、無線通信によりデータの授受を行う。
【００４５】
無線インタフェース２０９０と模擬採音部１０との間の無線通信方式としては、特に限定されないが、たとえば、Ｂｌｕｅｔｏｏｔｈ（登録商標）を使用することができる。
【００４６】
また、無線インタフェース２０９０と表示装置３０００との間の無線通信方式としては、特に限定されないが、たとえば、無線ＬＡＮ（Local Area Network）を使用することができる。なお、制御コンピュータ２０００と表示装置３０００との間の通信は、有線であってもよい。
【００４７】
模擬採音部１０からは、模擬採音部１０がモデル人形２の体表に密着されているか否かを示すセンサの検知結果が制御コンピュータ２０００に送信され、制御コンピュータ２０００からは、現在設定されている生体音データが、模擬採音部１０に送信される。
【００４８】
制御コンピュータ２０００から表示装置３０００へは、現在設定されている脈拍数および酸素飽和度の値が送信され、表示装置３０００は、受信したデータを表示する。
【００４９】
密着性判断部２４２０は、受信したセンサの検知結果により、模擬採音部１０がモデル人形２の体表に密着されていると判断した場合は、生体音送出部２４３０に対して、現在設定されている生体音データ（たとえば、設定されている心拍数に対応する心音データ）を、無線インタフェース２０９０経由で、模擬採音部１０に送信するように指示する。生体音送出部２４３０は、不揮発性記憶装置２０８０に格納されている生体音データベース(以下、生体音ＤＢ)２４５０ａから、生体状態情報２４５０ｂにより現在設定されている生体音データを読み出し、模擬採音部１０に送信する。
【００５０】
なお、生体音ＤＢ２４５０ａには、たとえば、症状に応じた心音のデータや、その他、新生児の蘇生において聴診されることが想定される生体音のデータが格納されているものとする。心音のデータは、心拍数ごとに、予め格納されていてもよいし、所定の基準の心拍数の音データが格納されており、生体音送出部２４３０が、基準の心拍数の音データを指定された心拍数のデータに変換してもよい。
【００５１】
不揮発性記憶装置２０８０に格納されているテストアルゴリズム情報２４５０ｃには、後述するような新生児蘇生アルゴリズムに対応するシナリオ情報が格納されており、生体状態情報２４５０ｂには、現在の訓練対象となる新生児モデルの心拍数、経皮的動脈血酸素飽和度の値などが格納される。生体状態情報２４５０ｂには、初期値の他、現在値が格納されており、現在値は、入力装置２１００からのトレーナによる入力操作により変更可能であるものとする。
【００５２】
テスト情報管理部２４６０は、テストアルゴリズム情報２４５０ｃおよび生体状態情報２４５０ｂとして格納されている情報に基づき、制御コンピュータ２０００の表示装置２１２０に画像を表示するための情報および表示装置３０００に画像を表示するための情報を生成する。表示装置３０００には、無線インタフェース２０９０を介して、表示する画像に関する情報が送信される。
【００５３】
なお、表示装置３０００がタブレット型端末であって、スピーカを内蔵している場合は、生体音送出部２４３０は、現在設定されている生体音データの一部として呼吸音データを、無線インタフェース２０９０を介して表示装置３０００に送信して、表示装置３０００において、新生児の呼吸音を模擬的に再生する構成としてもよい。この場合は、トレーナの入力装置２１００からの入力に応じて、呼吸数を変更することを可能な構成とする。設定された呼吸数は、生体状態情報２４５０ｂに格納される。
【００５４】
テスト履歴記録部２４７０は、タイマー２４７０からの時刻情報を基に、トレーニング開始からの時刻情報と関連付けて、トレーニング中の訓練生についてのテスト履歴情報を、テスト履歴データベース（以下、テスト履歴ＤＢ）２４５０ｄに、訓練生ごとに格納する。テスト履歴情報としては、たとえば、テスト開始からの時刻に従った訓練ステップの進行の履歴（心拍数の情報、経皮的動脈血酸素飽和度の履歴情報を含む。好ましくは、呼吸数の履歴を含んでもよい）に関する情報や、後述するトレーナによる「チェック結果情報」などが含まれる。
【００５５】
テスト履歴再現部２４９０は、トレーニング終了後において、入力装置２１００からの指定に基づき、指定された訓練生についてのテスト履歴情報を、テスト履歴ＤＢ２４５０ｄから読出し、表示装置２１２０に再現して表示する。
【００５６】
図４は、模擬採音部１０の構成を説明するための機能ブロック図である。
【００５７】
模擬採音部１０は、接続管３２により管部２０と着脱可能に接続され、モデル人形２の体表に接触させるためのスカート状の形状の接触部２２を備える。
【００５８】
接触部２２の内部の中心付近には、照度センサ１８が設けられる。接触部２２がスカート状の形状を有し、光の非透過性の材質で構成されているため、モデル人形２の体表に接触部２２が密着すると、照度センサ１８に入射する光量が所定値以下に減少する。したがって、照度センサ１８により検知される値により、接触部２２の密着の程度を判断することができる。
【００５９】
なお、接触部２２の密着の程度を検出するためのセンサとしては、このような照度センサに限定されることなく、他の接触センサ、圧力センサなどを利用してもよい。
【００６０】
模擬採音部１０のヘッド部１１の内部には、制御コンピュータ２０００と無線通信するための無線通信部１２と、無線通信部１２により受信された生体音データを音声に変換して再生するための音声再生部１４と、音声再生部１４の出力を音として出力するための小型スピーカ１６と、照度センサ１８からの信号を、無線通信部１２を介して制御コンピュータ２０００に送信するデータ形式に変換するためのセンスデータ送信部２１とを含む。
【００６１】
ヘッド部１１と接触部２２とは、円筒状の結合部材２４により結合されており、小型スピーカ１６からの音は、結合部材２４および接続管３２の内部を経由して、管部２０に伝達される。
【００６２】
（ハードウェアの構成）
図５は、制御コンピュータ２０００のハードウェア構成を示すブロック図である。
【００６３】
図５において、制御コンピュータ２０００のコンピュータ本体２０１０は、メモリドライブ２０２０と、ディスクドライブ２０３０と、ＣＰＵ２０４０と、ディスクドライブ２０３０及びメモリドライブ２０２０に接続されたバス２０５０と、ブートアッププログラム等のプログラムを記憶するためのＲＯＭ２０６０と、アプリケーションプログラムの命令を一時的に記憶するとともに一時記憶空間を提供するためのＲＡＭ２０７０と、アプリケーションプログラム、システムプログラム、及びデータを記憶するための不揮発性記憶装置（たとえば、ＳＳＤ：Solid State Drive）２０８０と、ネットワーク等を介して外部機器と通信するための無線通信インタフェース２０９０とを含む。
【００６４】
ＣＰＵ２０４０が、プログラムに基づいて実行する演算処理により、上述した図３の各機能が実現される。
【００６５】
制御コンピュータ２０００に、上述した実施の形態の情報処理等の機能を実行させるプログラムは、ＣＤ−ＲＯＭ２２００、またはメモリ媒体２２１０に記憶されて、ディスクドライブ２０３０またはメモリドライブ２０２０に挿入され、さらに不揮発性記憶装置２０８０に転送されても良い。これに代えて、プログラムは、図示しないネットワークを介してコンピュータ本体２０１０に送信され、不揮発性記憶装置２０８０に記憶されても良い。プログラムは実行の際にＲＡＭ２０７０にロードされる。
【００６６】
制御コンピュータ２０００は、さらに、入力装置２１００としてのキーボード２１００ａおよびマウス２１００ｂと、出力装置としてのディスプレイ２１２０とを備える。
【００６７】
上述したような機能を実現するためのプログラムには、コンピュータ本体２０１０に、情報処理装置等の機能を実行させるオペレーティングシステム（ＯＳ）は、必ずしも含まなくても良い。プログラムは、制御された態様で適切な機能（モジュール）を呼び出し、所望の結果が得られるようにする命令の部分のみを含んでいれば良い。制御コンピュータ２０００がどのように動作するかは周知であり、詳細な説明は省略する。
【００６８】
また、ＣＰＵ２０４０は、単一コアの構成であってもよいし、いわゆるマルチコアの構成であってもい。上記プログラムを実行するコンピュータは、単数であってもよく、複数であってもよい。すなわち、集中処理を行ってもよく、あるいは分散処理を行ってもよい。
【００６９】
なお、制御コンピュータ２０００も、いわゆるタブレット型端末であってもよい。その場合、入力装置２１００としては、ディスプレイ２１２０に組み込まれたタッチセンサ式ディスプレイとすることができる。また、ディスクドライブは省略される。
【００７０】
さらに、上述のとおり、表示装置３０００も、タブレット型端末としてもよい。
【００７１】
図６は、模擬採音部１０に搭載される照度センサの外観を示す図である。
【００７２】
上述したとおり、模擬採音部１０は、外観形状は、通常の採音部の形状とほぼ同様の構成となっており、接触部２２の中心付近に、照度センサが設けられる。
【００７３】
図７は、模擬採音部１０のモデル人形２の体表への接触状態を説明するための図である。
【００７４】
図７（ａ）に示すように、模擬採音部１０のモデル人形２の体表への接触が不十分な場合は、照度センサ１８により、一定値以上の光量が検知されるため、訓練生には、生体音（たとえば、心音）が聞こえない。一方、図７（ｂ）に示すように、模擬採音部１０が、モデル人形２の体表に十分に接触している場合は、訓練生に生体音が聞こえる。
［新生児蘇生法アルゴリズム］
図８は、非特許文献１に開示された「新生児蘇生法アルゴリズム」を説明するためのフローチャートである。
【００７５】
この「新生児蘇生法アルゴリズム」については、非特許文献１に詳しいので、以下では、その概略について、説明する。
【００７６】
まず、この「新生児蘇生法アルゴリズム」の対象となるのは、分娩室，新生児室と新生児集中治療室（Neonatal Intensive Care Unit：ＮＩＣＵ）入院中の（修正月齢１か月未満）児の蘇生である。
【００７７】
病院前救護や小児科病棟ならびに小児集中治療部門をはじめ、病棟や外来における救急
蘇生において、２８日未満の乳児（新生児）の心停止には、乳児に対する心肺蘇生法を適応しても良い。
【００７８】
（蘇生の流れ）
出生直後の新生児において蘇生が必要かどうかの判断は、ｉ）早産児、ｉｉ）弱い呼吸・弱い啼泣、ｉｉｉ）筋緊張の低下、の３項目で行う（Ｓ１００）。
【００７９】
それらすべてを認めない児に対しては母のそばでルーチンケアを行う（Ｓ１１０）。
【００８０】
ルーチンケアでは、保温、気道開通、皮膚の乾燥を行い、その後、さらに児の評価を行う。
【００８１】
（蘇生のステップ）
一方、Ｓ１００において、３項目のうち１つでも当てはまる場合は、蘇生のステップに入りる。
【００８２】
すなわち、Ｓ１００で、蘇生が必要と判断された場合、蘇生の必要な乳児は、順番に以下の処置が必要かどうかを評価する。
（１） 蘇生の初期処置（皮膚の羊水を拭き取り、保温し，気道確保の体位をとらせ、必要であれば気道を吸引して、呼吸を誘発するように皮膚刺激をする）（Ｓ１２０）
（２） 人工呼吸および呼吸補助（Ｓ１３２）
（３） 胸骨圧迫（Ｓ１３６）
（４） 薬物投与または補液（Ｓ１４０）
次のステップに進むかどうかは，まず２つのバイタルサイン（心拍数と呼吸）を同時に評価して決定する。次のステップへは，前のステップを完了してから進む。各々のステップでその処置の実施に概ね３０秒を割り当てて処置の効果を再評価し、次へ進むかどうかを決める。
【００８３】
１）蘇生の初期処置とその評価（Ｓ１２０〜Ｓ１３０）
蘇生の初期処置（Ｓ１２０）では、皮膚の羊水を拭き取り、保温し、気道確保の体位をとらせ、必要であれば気道を吸引し、呼吸誘発のために皮膚刺激をする。
【００８４】
蘇生の初期処置終了後、概ね生後3３０秒後に、その効果を心拍数と呼吸で評価する（Ｓ１３０）。心拍数の確認は臍帯拍動の触知よりも聴診がより確実である。また、蘇生が必要と予見される児では心拍数と酸素化の評価のためにパルスオキシメータの装着を考慮する。
【００８５】
自発呼吸があり、かつ心拍数が１００／分以上の場合は、努力呼吸と中心性チアノーゼの有無を評価する（Ｓ１５０）。特に人工呼吸を受ける児に対し、より早く正確な心拍数の測定を目的に、必要に応じＥＣＧ（心電図）モニターの装着を検討する。
【００８６】
努力呼吸と中心性チアノーゼを認める場合はパルスオキシメータを装着した上で、空気を用いた持続的気道陽圧（Continuous Positive Airway Pressure：ＣＰＡＰ）かフリーフロー酸素投与を開始する（Ｓ１５２）。
【００８７】
ＳｐＯ2値は生後時間に対応して、生後１分で６０％、生後３分で７０％、生後５分で８０％、生後１０分で９０％を概ねの目安とするが、ＳｐＯ2値の結果を必ずしも待つ必要はない。
【００８８】
さらに概ね３０秒後に心拍数と呼吸を評価し（Ｓ１５４）、心拍数が１００／分以上にもかかわらず努力呼吸と中心性チアノーゼの改善が認められない場合には人工呼吸を開始する（Ｓ１５６）。
【００８９】
人工呼吸の回数は４０〜６０回／分とする。どちらか一方だけが持続する場合（Ｓ１５４で、「なし」）は、原因検索（先天性心疾患，新生児一過性多呼吸，呼吸窮迫症候群等）をしながら適切な対応を選ぶ（Ｓ１５８，Ｓ１６０）。
【００９０】
一方、初期処置後の評価で自発呼吸がないか心拍数が１００／分未満の場合（Ｓ１３０）は、人工呼吸を開始した上でパルスオキシメータを装着する（Ｓ１３２）。喘ぎ呼吸も無呼吸と同様に扱う。人工呼吸の回数は４０〜６０回／分とする。
【００９１】
有効な人工呼吸開始後、概ね３０秒後に心拍数と呼吸を評価し（Ｓ１３４）、心拍数が６０〜１００／分未満の場合には換気が適切か確認し、気管挿管の施行を検討する。
【００９２】
有効な人工呼吸を３０秒以上施行しても心拍数が６０／分未満の場合には（Ｓ１３４）、胸骨圧迫と人工呼吸を連動して開始する（Ｓ１３６）。ただし人工呼吸の実施にあたり、適切に換気できていない場合は、胸骨圧迫にはステップを進めず、換気の確保・実施に専念する。胸骨圧迫と人工呼吸の比は３：１とし，１サイクル２秒間を目安に行う。
【００９３】
（薬物投与または補液）
有効な人工呼吸と胸骨圧迫にもかかわらず心拍数が６０／分未満の場合（Ｓ１３８）には、アドレナリンの投与を検討する（Ｓ１４０）。ただしアドレナリンのエビデンスは乏しく、人工呼吸と胸骨圧迫を中断してまで実施する処置ではない。人工呼吸と胸骨圧迫を優先しながらその投与を検討する。アドレナリンは０．０１〜０．０３ｍｇ／ｋｇの静脈内投与を第一選択とする。
【００９４】
児の失血が疑われる場合には，循環血液増量剤（生理食塩液など）１０ｍｌ／ｋｇを５〜１０分かけて静脈内投与する。薬物投与の際にも胸骨圧迫と人工呼吸は連動して続ける。
【００９５】
以下に説明するように、実施の形態１の聴診トレーニングシステムは、このような「新生児蘇生法アルゴリズム」の手順を、訓練生が適切に実行できるようなトレーニングを提供する。
【００９６】
図９は、トレーニング中の制御コンピュータ２０００の動作を説明するためのフローチャートである。
【００９７】
処理が開始されると、まず、トレーナは、訓練日時、トレーナ名の入力、トレーニー名の入力等を行う（Ｓ２００）。
【００９８】
なお、トレーナ名の入力、トレーニー名の入力等は、これらの個人を特定できる情報であれば、ＩＤの入力などでもよい。入力された訓練日時、トレーナ名の入力、トレーニー名の情報は、テスト履歴ＤＢ２４５０ｄに格納される。
【００９９】
続いて、トレーナによるスタート入力により、制御コンピュータ２０００は、画面表示や変数を初期化し、タイマー２４８０によう計時を開始する（Ｓ２０２）。
【０１００】
次に、テスト情報管理部２４６０は、図８に示した新生児蘇生アルゴリズム図を表示装置２１２０に表示するとともに、現在は、この新生児蘇生アルゴリズム図のどのステップに相当しているか識別可能に表示する（Ｓ２０４）。
【０１０１】
さらに、テスト情報管理部２４６０は、生体状態情報２４５０ｂから、現在の心拍数およびパルスオキシメータによる経皮的動脈血酸素飽和度の値を読出し、表示装置２１２０に対応する値を表示する（Ｓ２０６）。
【０１０２】
また、テスト情報管理部２４６０は、表示部３０００にも現在の心拍数および経皮的動脈血酸素飽和度の値を表示させるとともに、生体音送出部２４３０は、生体状態情報２４５０ｂから現在の心拍数を読出し、対応する心音データを生成して、模擬採音部１０に対して送出する（Ｓ２０８）。
【０１０３】
なお、初期状態では、パルスオキシメータの装着がされていないので、この時点では、具体的な値の表示ではなく、未装着状態であることを示す表示がされる。
【０１０４】
続いて、テスト情報管理部２４６０は、表示装置２１２０に、現在のステップにおけるチェック項目の表示する（Ｓ２１０）。
【０１０５】
図１０は、このような状態での表示装置２１２０における表示画面例を示す図である。
【０１０６】
図１０の左側には、図８に示した「新生児蘇生法アルゴリズム」が表示され、現在のステップが太枠や色の変化により表示される。図１０の右側には、チェック項目が表示されるとともに、現在の心拍数および経皮的動脈血酸素飽和度の値、現在のステップになってからの経過時間、呼吸音の再生の有無などが表示される。
【０１０７】
なお、心拍数および経皮的動脈血酸素飽和度の値については、表示バーを移動させることで、トレーナがこれらの値を変更することができる。
【０１０８】
チェック項目については、表示した内容についてトレーナによりチェックされた結果が入力される。また、図８のフローにおける次のステップに進むかについての入力についても表示される。なお、図８のフローにおける前のステップに戻るかを入力して、処理を現在のステップから前のステップにもどすことを可能としてもよい。
【０１０９】
図９にもどって、テスト情報管理部２４６０は、トレーナにより、心拍数および経皮的動脈血酸素飽和度の値の変更が入力されたかを判断し、変更入力がされていれば（Ｓ２１２でＹ）、生体状態情報２４５０ｂの情報を更新して記録し（Ｓ２１６）、表示装置２１２０に対応する値を表示する（Ｓ２１４）。また、テスト情報管理部２４６０は、表示部３０００にも更新された心拍数および経皮的動脈血酸素飽和度の値を表示させるとともに、生体音送出部２４３０は、生体状態情報２４５０ｂから更新された心拍数を読出し、対応する心音データを生成して、模擬採音部１０に対して送出する（Ｓ２１６）。
【０１１０】
続いて、テスト情報管理部２４６０は、トレーナにより、チェック項目について入力があったかどうかを判断し（Ｓ２１８）、入力があれば、表示装置２１２０についてチェックがあったことを示す表示に表示内容を変更し（Ｓ２２０）、テスト履歴記録部２４７０は、現在のステップ、現在の時刻、およびチェック項目の内容を、テスト履歴ＤＢ２４５０ｄに格納する（Ｓ２２２）。
【０１１１】
次に、テスト情報管理部２４６０は、トレーナにより、中断を指示する入力があったかどうかを判断し（Ｓ２２４でＹ）、入力があれば、テスト履歴記録部２４７０は、中断時刻をテスト履歴ＤＢ２４５０ｄに記録する（Ｓ２２６）。さらに、テスト情報管理部２４６０は、中断の解除の入力があるまで待機し（Ｓ２２８でＮ）、中断の解除があれば（Ｓ２２８でＹ）、テスト履歴記録部２４７０は、解除時刻をテスト履歴ＤＢ２４５０ｄに記録する（Ｓ２３０）。
【０１１２】
続いて、テスト情報管理部２４６０は、トレーナにより次のステップへの移行が入力されているかを判断し（Ｓ２３２）、移行が入力されていれば、図８のフローにおけるステップを次に進め、テスト履歴記録部２４７０は、当該ステップが終了した時刻をテスト履歴ＤＢ２４５０ｄに記録して（Ｓ２３４）、処理をステップＳ２０４に復帰させる。
【０１１３】
一方で、テスト情報管理部２４６０は、トレーナにより終了が指示されていれば（Ｓ２４０でＹ）、処理を終了し、終了が指示されいなければ（Ｓ２４０でＮ）、処理をステップＳ２０６に復帰させる。
【０１１４】
以上、説明したように、本実施形態の聴診トレーニングシステムによれば、通常の聴診器において、模擬採音部１０を交換することで、新生児の蘇生の手続きにおける聴診動作や蘇生に必要な処理の流れを、モデル人形２に対して行うことにより、実際の処置と同等の緊張感のもとで訓練生が体感することができる。
【０１１５】
また、トレーンング中においてトレーナが、模擬的に新生児の状態を適宜変更できるため、一層、実際の処置に近い状態で訓練を行うことができる。
【０１１６】
また、トレーニング中の履歴データが逐一保存されているので、トレーニングが一通り終了した後に、トレーナと訓練生とが、トレーニング中の処置を振り返ることが容易で、トレーニング効果を高めることが可能である。
【０１１７】
また、トレーニングシステムを構成する部品が簡単・低コストな部品部材から成る構成であるため、特定の訓練生がある程度習熟すれば、訓練生同志で、聴診トレーニングを実施することも容易である。
【０１１８】
以下では、実施の形態１の聴診トレーニンングシステムの奏する効果について、補足して説明する。
【０１１９】
図１１は、上述したような従来使用されているシミュレータと実施の形態１の聴診トレーニンングシステムとの比較を示す概念図である。
【０１２０】
図１１においては、導入性と訓練効果の軸によって示している。訓練効果と導入性はトレードオフの関係にあり、実施の形態１の聴診トレーニンングシステムは、導入が容易で訓練効果が高い。
【０１２１】
ここで、訓練効果を高めるためには、単純にはシミュレータがより現実に近づくことで達成できると考える。
【０１２２】
新生児蘇生訓練において、単純に新生児の形状をだけを模擬したシミュレータにより現実の新生児に近い応答をさせるには以下のようなバイタルの再現手法が考えられる。
【０１２３】
ａ）聴診によって心拍数を測定可能
ｂ）パルスオキシメータによって動脈血酸素飽和度（ＳｐＯ2）が表示・確認可能
ｃ）新生児の状態が訓練生の処置によって変動する
したがって、実施の形態１の聴診トレーニンングシステムでは、これらの再現を要する内容を模擬的に実現できている。
【０１２４】
また、実施の形態１の聴診トレーニンングシステムでは、上述したように、訓練効果を高めるために、訓練生が臨床現場と同じように聴診を行える必要がある。また訓練生は心拍数によって処置を行い、その処置によって心拍数は変化する。そのため、トレーナは訓練生の処置を見ながら心拍数を変更する。
【０１２５】
これらを解決するために、実施の形態１の聴診トレーニンングシステムでは以下のような機能が達成されている。
【０１２６】
機能１）訓練生が聴診を主体的に行えるシミュレータ
機能２）トレーナが訓練生の処置によって自由に心拍数を操作するコントローラ
図１２は、このような実施の形態１の聴診トレーニンングシステムの主要な構成および機能を説明するための概念図である。
（訓練生側のシミュレータ）
既述のとおり、訓練生側のシミュレータは新生児蘇生モデルとセンサが組み込まれた聴診器から構成されている。実際の診断において、聴診器のチェストピース部分を新生児の胸に密着させなければ正しく聴診できない。
【０１２７】
照度センサが一定の暗さ以下になった場合密着していると判定し、聴診器に組み込んだスピーカよりトレーナが設定した心拍音を流すことで、訓練生が聴診を行えるシミュレータが実現される。
（トレーナ側のコントローラ）
一方で、制御コンピュータ２０００のコントローラ画面には日本蘇生協議会が作成した新生児蘇生法のアルゴリズムを表現したフローチャート、新生児蘇生法普及事業が提供しているフローチャートの項目ごとのチェックリスト、心拍数の選択バー、動脈血酸素飽和度の選択バー、経過時間が表示される。
【０１２８】
シナリオベースの訓練ではフローチャートにそってシナリオが運行するため、トレーナが訓練の進行をフローチャートで確認できる。 また、進行中の処置に対する訓練生の行動を直ちに評価できるように、各処置項目にあわせてチェックリストを切り替えて表示する。また、トレーナはシナリオに応じて、訓練生の処置を見ながら心拍数や動脈血酸素飽和度を随時変更できるように、チェストピースから聞こえる心拍数や動脈血酸素飽和度を操作する入カバーを用意されている。
【０１２９】
さらに、新生児蘇生法のアルゴリズムでは処置を行う目安の時間が設定されており、目安の時間通りに訓練生の処置が行われているかどうかトレ-ナが確認できるように訓練の経過時間も表示される。
【０１３０】
さらに、訓練生は訓練終了後に自らのシミュレーション結果を振り返ることを推奨されている。
【０１３１】
そこで、訓練生がシミュレーションを振り返るための資料を提供するため、トレーナが訓練の過程で訓練生の行動をチェックしたチェックリストの結果を、トレーンング終了後に提示することが可能である。たとえば、項目ごとにあるチェックリストが全てチェックしているかどうかを○×で示したり、全てのチェックリストのチェック状態を一覧で示すことができる。
【０１３２】
さらに、講習会でのシナリオを用いた訓練ではトレーナが訓練生に問いかけながら進めていくので、訓練を一時的に停止・再開し、それにあわせた経過時間を表示する機能も備える。
【０１３３】
また、訓練生への効果的なフィードバックとして、振り返りの際に提示するフローチャートに、トレーナが予定していたシナリオの流れと、訓練生が実際に行った処置の結果を流れとして表示する構成としてもよい。
【０１３４】
さらに、どのような呼吸しているかは新生児の声から判断できるので、シナリオにあわせて新生児の声を再現する構成としてもよい。
[実施の形態２]
図１３は、実施の形態２の聴診トレーニングシステムの一例を説明するための概念図である。
【０１３５】
実施の形態１の聴診トレーニングシステムの構成と異なる点は、以下の点である。
【０１３６】
１）モデル人形２の体表面には、聴診対象位置を示すマーカ３ａ，…がつけられている。マーカとしては、特に限定されないが、たとえば、ＱＲコード（登録商標）などの２次元マーカを用いることができる。
【０１３７】
２）模擬採音器１０には、照度センサ１８に加えて、または、照度センサ１８の代わりに、マーカ読取センサ１９が設けられている。マーカ読取センサ１９としては、特に、限定されないが、たとえば、光学カメラを使用することができる。
【０１３８】
その他の構成は、実施の形態１の聴診トレーニングシステムの構成と同様であるので、説明は繰り返さない。
【０１３９】
ここで、マーカ読取センサ１９として光学カメラを使用する場合は、模擬採音器１０が、モデル人形２の体表面のマーカ３ａに接近していく過程で、撮像された画像からマーカ３ａにより表現されるデータを読み取ることができ、模擬採音器１０がモデル人形２の体表面に密着したか否かについても、光学カメラから読み取られた画像の輝度が所定レベルである場合に密着している、と判断することができる。
【０１４０】
あるいは、照度センサ１８の代わりに密着の度合いについては、圧力センサなどにより検知する構成であってもよい。
【０１４１】
図３に示した生体音ＤＢ２４５０ａには、生体の位置に応じて、それぞれ異なる、聴診されるべき音声のデータが予め格納されており、生体音送出部２４３０は、マーカ読取センサ１９により検出されたモデル人形２の体表面上の位置に応じて、模擬採音器１０において、小型スピーカ１６により再生される音声を変更する。
【０１４２】
このような構成により、模擬採音器１０に、マーカを読み取る機能を加えることで、より精緻に聴診器のあて方に応じた聴診音提示を実現することが出来る。
【０１４３】
また、実施の形態１と同様に、模擬採音器１０を、従来の聴診器の先端の採音器と交換可能な構造とすることで、医師・看護師が「自分がこれまで使用している」聴診器を使ってシミュレーションを行うことが出来る。加えて、ソフトウエアで模擬的に与える音を自由に制御できることにすることで、シミュレーションの幅を広げることが可能になる。
【０１４４】
今回開示された実施の形態は、本発明を具体的に実施するための構成の例示であって、本発明の技術的範囲を制限するものではない。本発明の技術的範囲は、実施の形態の説明ではなく、特許請求の範囲によって示されるものであり、特許請求の範囲の文言上の範囲および均等の意味の範囲内での変更が含まれることが意図される。
【符号の説明】
【０１４５】
２  モデル人形、１０  模擬採音器、１１  ヘッド部、１２  無線通信部、１４  音声再生部、１６  小型スピーカ、１８  照度センサ、１９  マーカ読取センサ、２０  管部、２１  センスデータ送信部、２２  接触部、２４  結合部材、３０ａ，３０ｂ  耳管部、３２  接続管、１００  模擬聴診器、１０００  聴診トレーニングシステム、２０００  制御コンピュータ、２０８０  不揮発性記憶装置、２０９０  無線インタフェース、２１００  入力装置、２１２０  表示装置、２４２０  密着性判断部、２４３０  生体音送出部、２４３０  生体音送出部、２４５０ａ  生体音ＤＢ、２４５０ｂ  生体状態情報、２４５０ｃ  テストアルゴリズム情報、２４５０ｄ  テスト履歴ＤＢ、２４６０  テスト情報管理部、２４７０  テスト履歴記録部、２４８０  タイマー、３０００  表示装置。
【図１】
0006647526.tif 000002
【図２】
0006647526.tif 000003
【図３】
0006647526.tif 000004
【図４】
0006647526.tif 000005
【図５】
0006647526.tif 000006
【図６】
0006647526.tif 000007
【図７】
0006647526.tif 000008
【図８】
0006647526.tif 000009
【図９】
0006647526.tif 000010
【図１０】
0006647526.tif 000011
【図１１】
0006647526.tif 000012
【図１２】
0006647526.tif 000013
【図１３】
0006647526.tif 000014